(57)【特許請求の範囲】
【請求項１】
パブリックランドモバイルネットワーク（ＰＬＭＮ）固有３ＧＰＰデータオフ免除サービス（ＤＯＥＳ）をサポートするための、通信ネットワーク（１００）におけるポリシー制御デバイス（１１０）の方法（３００）であって、
前記通信ネットワーク（１００）において、３ＧＰＰ  ＤＯＥＳのＰＬＭＮ固有リストに関連する１つまたは複数のアップリンクフィルタを端末デバイス（１４０）に提供すること（３０３）
を含み、
前記提供すること（３０３）が、
前記端末デバイス（１４０）の登録プロシージャと、
前記端末デバイス（１４０）によって開始されるセッション確立プロシージャと、
前記ポリシー制御デバイス（１１０）によって開始されるセッション変更プロシージャと
のうちの１つまたは複数中にセッション管理デバイス（１２０）およびモビリティ管理デバイス（１３０）を介して実装され、
前記方法が、前記登録プロシージャおよび／または前記セッション確立プロシージャ中に、前記端末デバイス（１４０）、前記モビリティ管理デバイス（１３０）および前記セッション管理デバイス（１２０）のＰＬＭＮ固有３ＧＰＰ  ＤＯＥＳをサポートする能力に関する情報を受信すること（３０１）をさらに含み、
前記提供することは、前記端末デバイス（１４０）、前記モビリティ管理デバイス（１３０）および前記セッション管理デバイス（１２０）がすべて、ＰＬＭＮ固有３ＧＰＰ  ＤＯＥＳをサポートすることを前記情報が指示する場合のみ、実施される、
方法（３００）。
【請求項２】
パブリックランドモバイルネットワーク（ＰＬＭＮ）固有３ＧＰＰデータオフ免除サービス（ＤＯＥＳ）をサポートするための、通信ネットワーク（１００）におけるポリシー制御デバイス（１１０）の方法（３００）であって、
前記通信ネットワーク（１００）において、３ＧＰＰ  ＤＯＥＳのＰＬＭＮ固有リストに関連する１つまたは複数のアップリンクフィルタを端末デバイス（１４０）に提供すること（３０３）
を含み、
前記提供すること（３０３）が、
前記端末デバイス（１４０）の登録プロシージャと、
前記端末デバイス（１４０）によって開始されるセッション確立プロシージャと、
前記ポリシー制御デバイス（１１０）によって開始されるセッション変更プロシージャと
のうちの１つまたは複数中にセッション管理デバイス（１２０）およびモビリティ管理デバイス（１３０）を介して実装され、
前記１つまたは複数のアップリンクフィルタが、前記セッション管理デバイス（１２０）および前記モビリティ管理デバイス（１３０）によって既存の情報エレメント（ＩＥ）中の新しいコンテナまたは新しいＩＥ中で受け渡される、
方法。
【請求項３】
前記方法が、前記リストを取得すること（３０２）をさらに含む、請求項１または２に記載の方法。
【請求項４】
前記取得すること（３０２）が、
前記ポリシー制御デバイス（１１０）における前記リストの設定、または
リポジトリから前記リストをフェッチすること
によって実装される、請求項３に記載の方法。
【請求項５】
前記ポリシー制御デバイス（１１０）がポリシー制御・ルーティング機能（ＰＣＲＦ）であり、前記セッション管理デバイス（１２０）が、サービングゲートウェイ（ＳＧＷ）（１２０−１）およびパケットデータ接続（ＰＤＮ）ゲートウェイ（ＰＧＷ）（１２０−２）からなり、前記モビリティ管理デバイス（１３０）がモビリティ管理エレメント（ＭＭＥ）である、請求項１から４のいずれか一項に記載の方法。
【請求項６】
前記１つまたは複数のアップリンクフィルタが、前記ＰＣＲＦによって新しい属性値ペア（ＡＶＰ）中で提供される、請求項５に記載の方法。
【請求項７】
前記ポリシー制御デバイス（１１０）がポリシー制御機能（ＰＣＦ）であり、前記セッション管理デバイス（１２０）がセッション管理機能（ＳＭＦ）であり、モビリティ管理デバイス（１３０）がアクセスおよび管理機能（ＡＭＦ）である、請求項１から４のいずれか一項に記載の方法。
【請求項８】
前記１つまたは複数のアップリンクフィルタが、前記ＰＣＦによって新しいＩＥ中で提供される、請求項７に記載の方法。
【請求項９】
パブリックランドモバイルネットワーク（ＰＬＭＮ）固有３ＧＰＰデータオフ免除サービス（ＤＯＥＳ）をサポートするための、通信ネットワーク（１００）におけるポリシー制御デバイス（１１０）の方法（３００）であって、
前記通信ネットワーク（１００）において、３ＧＰＰ  ＤＯＥＳのＰＬＭＮ固有リストに関連する１つまたは複数のアップリンクフィルタを端末デバイス（１４０）に提供すること（３０３）
を含み、
前記ポリシー制御デバイス（１１０）がＰＣＦであり、前記提供すること（３０３）が、
前記端末デバイス（１４０）の登録プロシージャと、
前記ＰＣＦによって開始されるＵＥ設定更新プロシージャと
のうちの１つまたは複数中に前記ＰＣＦとＡＭＦとの間のインターフェースを通して前記ＡＭＦを介して実装され、
前記１つまたは複数のアップリンクフィルタが、前記ＰＣＦによって新しいＩＥ中で提供され、前記ＡＭＦによって既存のＩＥ中の新しいコンテナまたは新しいＩＥ中で受け渡される、方法。
【請求項１０】
前記方法が、前記リストを取得すること（３０２）をさらに含む、請求項９に記載の方法。
【請求項１１】
前記取得すること（３０２）が、
前記ポリシー制御デバイス（１１０）における前記リストの設定、または
リポジトリから前記リストをフェッチすること
によって実装される、請求項１０に記載の方法。
【請求項１２】
ポリシー制御デバイス（５００）であって、
プロセッサ（５０１）と、
前記プロセッサによって実行されたとき、前記ポリシー制御デバイスに、請求項１から１１のいずれか一項に記載の方法を実施させる命令を記憶した、メモリ（５０２）と
を備える、ポリシー制御デバイス（５００）。
【発明の詳細な説明】
【技術分野】
【０００１】
本開示の非限定的なおよび例示的な実施形態は、一般に通信ネットワークの技術分野に関し、詳細には、通信システムにおいて第３世代パートナーシッププロジェクト（３ＧＰＰ）データオフ免除サービス（Ｄａｔａ  Ｏｆｆ  Ｅｘｅｍｐｔ  Ｓｅｒｖｉｃｅ）をサポートするための方法、装置およびコンピュータプログラムに関する。
【背景技術】
【０００２】
このセクションは、本開示のより良い理解を容易にし得る態様を紹介する。したがって、このセクションの記述は、この観点において読み取られるべきであり、従来技術にあるものまたは従来技術にないものに関する承認として理解されるべきではない。
【０００３】
無線システムでは、ユーザからの異なる要件を満たすために様々なサービスを提供することが望ましい。一部のユーザは、金銭を節約するために、ある時間期間の間パケット交換（ＰＳ）データサービスを無効にすることを希望し得、そのような要件を満たすために、３ＧＰＰにおいてＰＳデータオフ特徴が導入された。
【０００４】
３ＧＰＰ  ＰＳデータオフ特徴は、ユーザによってアクティブ化されるとき、３ＧＰＰアクセスネットワークにおけるパケットデータ接続（ＰＤＮ）接続を介した、３ＧＰＰ  ＰＳデータオフ免除サービス（３ＧＰＰ  ＤＯＥＳ）によって必要とされるインターネットプロトコル（ＩＰ）パケット以外のすべてのＩＰパケットのトランスポートを防止する。３ＧＰＰ  Ｌｏｎｇ  Ｔｅｒｍ  Ｅｖｏｌｕｔｉｏｎ（ＬＴＥ）リリース１４（Ｒｅｌ−１４）では、すべてのＰＬＭＮのための３ＧＰＰ  ＤＯＥＳの共通リストをサポートするためにデータオフソリューションが指定されており、たとえば、３ＧＰＰ  ＴＳ２３．４０１  ｖ１４．２．０、ＴＳ２３．０６０  ｖ１４．２．０およびＴＳ  ２３．２０３  ｖ１４．２．０において詳細が見つけられ得る。Ｒｅｌ−１４ソリューションにおいて指定されているデータオフソリューションは、フェーズ１データオフソリューションとしても知られる。
【０００５】
ＬＴＥリリース１５（Ｒｅｌ−１５）の研究フェーズ中に、ＰＬＭＮごと３ＧＰＰ  ＤＯＥＳ（ｐｅｒ  ＰＬＭＮ  ３ＧＰＰ  ＤＯＥＳ）をサポートするための要件に対処するための高レベルソリューションが提案されており、すなわち、無線システムは、オペレータがＨＳＳにおいてＰＬＭＮごとに３ＧＰＰ  ＤＯＥＳのリストを設定することができる機構を提供するものとする。しかしながら、提案されたソリューションは十分に調査されていない。
【０００６】
３ＧＰＰ  Ｒｅｌ−１５のための提案されたソリューションは、ホームサブスクライバサーバ（ＨＳＳ）によって３ＧＰＰ  ＤＯＥＳを設定することであり、さらなる調査は、提案されたソリューションが、既存のネットワークプロシージャおよびシナリオに対する広範な影響を招き、新しいプロシージャが導入されることを必要とし得ることを示す。さらに、提案されたソリューションは、異なるデータオフ能力を伴うインターワーキングシナリオにおいて、多くの複雑さを追加し得る。
【発明の概要】
【０００７】
効率的なやり方でＰＬＭＮ固有３ＧＰＰ  ＤＯＥＳをサポートするために、本開示において方法、装置およびコンピュータプログラムが提供される。本開示の実施形態は、同様の問題が存在する任意の無線通信システムに広く適用され得ることが諒解されよう。
【０００８】
本開示の様々な実施形態は、主に、ＰＬＭＮ固有３ＧＰＰ  ＤＯＥＳを提供するための方法、装置およびコンピュータプログラムを提供することを目的とする。本開示の実施形態の他の特徴および利点は、本開示の実施形態の原理を例として例示する、添付の図面とともに読めば、特定の実施形態の以下の説明から理解される。
【０００９】
本開示の第１の態様では、パブリックランドモバイルネットワーク（ＰＬＭＮ：Ｐｕｂｌｉｃ  Ｌａｎｄ  Ｍｏｂｉｌｅ  Ｎｅｔｗｏｒｋ）固有３ＧＰＰデータオフ免除サービス（ＤＯＥＳ）をサポートするための、通信ネットワークにおけるポリシー制御デバイスの方法が提供され、本方法は、通信ネットワークにおいて、３ＧＰＰ  ＤＯＥＳのＰＬＭＮ固有リストに関連する１つまたは複数のアップリンクフィルタを端末デバイスに提供することを含む。本方法は、たとえば、ポリシー制御デバイスにおけるリストの設定によって、またはリポジトリからリストをフェッチすることによってリストを取得することをさらに含み得る。いくつかの実施形態では、本方法における前記提供することは、端末デバイスの登録プロシージャと、端末デバイスによって開始されるセッション確立プロシージャと、ポリシー制御デバイスによって開始されるセッション変更プロシージャとのうちの１つまたは複数中にセッション管理デバイスおよびモビリティ管理デバイスを介して実装される。他の実施形態では、ポリシー制御デバイスはＰＣＦであり、前記提供することは、端末デバイスの登録プロシージャと、ＰＣＦによって開始されるＵＥ設定更新プロシージャとのうちの１つまたは複数中にＰＣＦとＡＭＦとの間のインターフェースを通してＡＭＦを介して実装される。
【００１０】
本開示の第２の態様では、パブリックランドモバイルネットワーク（ＰＬＭＮ）固有３ＧＰＰデータオフ免除サービス（ＤＯＥＳ）をサポートするための、通信ネットワークにおけるポリシー制御デバイスが提供され、本ポリシー制御デバイスは、通信ネットワークにおいて、３ＧＰＰ  ＤＯＥＳのＰＬＭＮ固有リストに関連する１つまたは複数のアップリンクフィルタを端末デバイスに提供するための提供ユニットを備える。本ポリシー制御デバイスは、たとえば、本ポリシー制御デバイスにおけるリストの設定によって、またはリポジトリからリストをフェッチすることによってリストを取得するための取得ユニットをさらに備え得る。いくつかの実施形態では、前記提供することは、端末デバイスの登録プロシージャと、端末デバイスによって開始されるセッション確立プロシージャと、本ポリシー制御デバイスによって開始されるセッション変更プロシージャとのうちの１つまたは複数中にセッション管理デバイスおよびモビリティ管理デバイスを介して実装される。他の実施形態では、本ポリシー制御デバイスはＰＣＦであり、前記提供することは、端末デバイスの登録プロシージャと、ＰＣＦによって開始されるＵＥ設定更新プロシージャとのうちの１つまたは複数中にＰＣＦとＡＭＦとの間のインターフェースを通してＡＭＦを介して実装される。
【００１１】
本開示の第３の態様では、プロセッサと、プロセッサによって実行されたとき、ポリシー制御デバイスに上記の方法を実施させる命令を記憶した、メモリとを備える、ポリシー制御デバイスが提供される。
【００１２】
上述のような様々な態様および実施形態によれば、簡略化された方式とともにＰＬＭＮごと３ＧＰＰ  ＤＯＥＳがサポートされ、および／または既存のネットワークに対する影響が低減され得る。
【００１３】
本開示の様々な実施形態の上記および他の態様、特徴、および利益が、同様の参照番号または文字が同様の要素または等価要素を指定するために使用される、添付の図面を参照しながら、以下の発明を実施するための形態から、より十分に明らかになろう。図面は、本開示の実施形態のより良い理解を容易にするために例示されており、必ずしも一定の縮尺で描かれているとは限らない。
【図面の簡単な説明】
【００１４】
【図１】本開示の実施形態が実装され得る例示的な通信ネットワークを例示する図である。
【図２Ａ】本開示の実施形態による、ＰＬＭＮ固有３ＧＰＰ  ＤＯＥＳに関連するアップリンクフィルタがその間にポリシー制御デバイスから端末デバイスに指示され得るプロシージャを例示する図である。
【図２Ｂ】本開示の実施形態による、ＰＬＭＮ固有３ＧＰＰ  ＤＯＥＳに関連するアップリンクフィルタがその間にポリシー制御デバイスから端末デバイスに指示され得るプロシージャを例示する図である。
【図２Ｃ】本開示の実施形態による、ＰＬＭＮ固有３ＧＰＰ  ＤＯＥＳに関連するアップリンクフィルタがその間にポリシー制御デバイスから端末デバイスに指示され得るプロシージャを例示する図である。
【図２Ｄ】本開示の実施形態による、ＰＬＭＮ固有３ＧＰＰ  ＤＯＥＳに関連するアップリンクフィルタがその間にポリシー制御デバイスから端末デバイスに指示され得るプロシージャを例示する図である。
【図３】本開示の一実施形態による、ポリシー制御デバイスの方法のフローチャートである。
【図４】本開示の一実施形態による、ポリシー制御デバイスの概略ブロック図である。
【図５】本開示の一実施形態による、ポリシー制御デバイスの別の概略ブロック図である。
【発明を実施するための形態】
【００１５】
以下で、本開示の原理および趣旨が例示的な実施形態に関して説明される。すべてのこれらの実施形態は、当業者が、本開示をより良く理解し、さらに実施するために与えられるにすぎず、本開示の範囲を限定するためのものではないことを理解されたい。たとえば、ある実施形態の一部として例示または説明される特徴は、またさらなる実施形態をもたらすために、別の実施形態とともに使用され得る。明快のために、実際の実装形態のすべての特徴が本明細書において説明されるとは限らない。
【００１６】
「一実施形態」、「実施形態」、「例示的な実施形態」などへの本明細書における言及は、説明される実施形態が、特定の特徴、構造、または特性を含み得ることを指示するが、あらゆる実施形態が、必ずしも、特定の特徴、構造、または特性を含むとは限らない。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性に影響を及ぼすことは当業者の知識内にあることが具申される。
【００１７】
「第１の」および「第２の」などの用語は、様々な要素について説明するために本明細書において使用され得るが、これらの要素は、これらの用語によって限定されるべきでないことが理解されよう。これらの用語は、ある要素を別の要素と区別するために使用されるにすぎない。たとえば、例示的な実施形態の範囲から逸脱することなく、第１の要素は第２の要素と呼ばれることがあり、同様に、第２の要素は第１の要素と呼ばれることがある。本明細書で使用される「および／または」という用語は、関連する列挙された用語のうちの１つまたは複数のいずれかのおよびすべての組合せを含む。
【００１８】
本明細書で使用される用語は、特定の実施形態を説明するためのものにすぎず、例示的な実施形態を限定するものではない。本明細書で使用される単数形「ａ」、「ａｎ」および「ｔｈｅ」は、文脈が別段に明確に指示しない限り、複数形をも含むものとする。本明細書で使用される「備える、含む（ｃｏｍｐｒｉｓｅｓ）」、「備える、含む（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」という用語は、述べられた特徴、要素、および／または構成要素などの存在を指定するが、１つまたは複数の他の特徴、要素、構成要素および／またはそれらの組合せの存在あるいは追加を排除しないことをさらに理解されよう。
【００１９】
別段に規定されていない限り、本明細書で使用される技術用語および科学用語は、本開示が属する技術の当業者によって通常理解されるものと同じ意味を有する。
【００２０】
本明細書で使用される「通信ネットワーク」という用語は、ＬＴＥアドバンスト（ＬＴＥ−Ａ）、ＬＴＥ、広帯域符号分割多元接続（ＷＣＤＭＡ）、高速パケットアクセス（ＨＳＰＡ）、無線ローカルエリアネットワーク（ＷＬＡＮ）、インターネットプロトコル（ＩＰ）など、現在知られている任意の好適な通信規格、および／または将来において開発されることになる任意の他のプロトコルに従うネットワークを指す。
【００２１】
本明細書で使用される「ネットワークデバイス」という用語は、端末デバイスがそのデバイスを介して通信ネットワークにアクセスし、および／または通信ネットワークからサービスを受信する、通信ネットワークにおけるデバイスを指す。ネットワークデバイスは、限定はしないが、ルータ、サーバ、制御エンティティ／機能／デバイス、ゲートウェイなどを含み得る。しかしながら、より一般的には、ネットワークデバイスは、通信ネットワークへの端末デバイスアクセスを可能にし、および／または提供し、あるいは、通信ネットワークにアクセスした端末デバイスに何らかのサービスを提供することが可能な、そうするように設定された、構成された、および／または動作可能な任意の好適なデバイス（またはデバイスのグループ）を表し得る。
【００２２】
「端末デバイス」という用語は、通信ネットワークにアクセスし、通信ネットワークからサービスを受信することができる任意のエンドデバイスを指す。限定ではなく例として、端末デバイスは、ユーザ機器（ＵＥ）、サブスクライバ局（ＳＳ）、ポータブルサブスクライバ局、移動局（ＭＳ）、またはアクセス端末（ＡＴ）と呼ばれることがある。端末デバイスは、限定はしないが、モバイルフォン、セルラーフォン、スマートフォン、タブレット、ウェアラブルデバイス、携帯情報端末（ＰＤＡ）、パーソナルコンピュータ（ＰＣ）、ポータブルコンピュータ、デジタルカメラなどの画像キャプチャ端末デバイス、ゲーム端末デバイス、音楽ストレージおよび再生機器、ウェアラブル端末デバイス、車載無線端末デバイスなどを含み得る。以下の説明では、「端末デバイス」、「端末」、「ユーザ機器」および「ＵＥ」という用語は、互換的に使用され得る。
【００２３】
１つの特定の例として、端末デバイスは、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＵＥを表し得る。本明細書で使用される「ユーザ機器」または「ＵＥ」は、必ずしも、関連のあるデバイスを所有、および／または操作する人間のユーザという意味における「ユーザ」を有するとは限らない。代わりに、ＵＥは、人間のユーザへの販売または人間のユーザによる操作が意図されているが、最初は、特定の人間のユーザに関連しないことがあるデバイスを表し得る。
【００２４】
端末デバイスは、たとえばサイドリンク通信のための３ＧＰＰ規格を実装することによって、デバイス間（Ｄ２Ｄ）通信をサポートし得、この場合、Ｄ２Ｄ通信デバイスと呼ばれることがある。
【００２５】
図１は、本開示の実施形態が実装され得る例示的な通信ネットワーク１００を例示する。図１に示されているように、通信ネットワーク１００は、たとえば、限定はしないが、ポリシー制御機能（ＰＣＦ）またはポリシー制御・ルーティング機能（ＰＣＲＦ）を含む、１つまたは複数のポリシー制御デバイス１１０と、たとえば、限定はしないが、セッション管理機能（ＳＭＦ）、サービングゲートウェイ（ＳＧＷ）、またはＰＤＮゲートウェイ（ＰＧＷ）を含む、（「（１つまたは複数の）セッション管理デバイス１２０」と総称される）１つまたは複数のセッション管理デバイス１２０−１、１２０−２と、たとえば、限定はしないが、アクセスおよび管理機能（ＡＭＦ）、モビリティ管理エレメント（ＭＭＥ）またはサービングゲートウェイサービングノード（ＳＧＳＮ）を含む、１つまたは複数のモビリティ管理デバイス１３０と、たとえば、限定はしないが、モバイルフォンを含む１つまたは複数の端末デバイス１４０とを含む。
【００２６】
端末デバイス１４０は、任意の好適な無線アクセス技術（ＲＡＴ）などの無線通信機構を介して通信ネットワーク１００にアクセスし得る（たとえば、アップリンクにおいてその通信ネットワークにデータを送信することおよび／またはダウンリンクにおいてその通信ネットワークからデータを受信すること）。ネットワークデバイス１１０〜１３０は、任意の好適な通信プロトコルに従って通信し得、実施形態は、ネットワークデバイス間で通信するための何らかの特定のやり方に限定されない。通信ネットワーク１００は例示目的のために提示されるにすぎず、別の例では、その通信ネットワークは、その通信ネットワークによって採用されるアーキテクチャおよび技法に応じて、より多いまたはより少ないネットワークデバイスあるいは異なるネットワークデバイスを含み得ることを諒解されたい。
【００２７】
通信ネットワーク１００は、通信ネットワーク１００のカバレッジ内で端末デバイスに回線交換（ＣＳ）サービスおよび／またはパケット交換（ＰＳ）サービスを提供し得る。何らかの理由で、端末デバイスのユーザが、少なくともある時間期間の間ＰＳデータサービスを送るかまたは受信することを希望しないことがあり、したがって、ユーザは、データオフ特徴、すなわち、３ＧＰＰ  ＰＳデータオフ特徴をアクティブ化し得る。この場合、３ＧＰＰ  ＰＳデータオフ免除サービス（３ＧＰＰ  ＤＯＥＳ）によって必要とされるＩＰパケット以外の、３ＧＰＰアクセスネットワークにおけるＰＤＮ接続を介したすべてのＩＰパケットのトランスポートが防止される。
【００２８】
本明細書ではフェーズ１データオフソリューションとも呼ばれる、３ＧＰＰ  ＬＴＥ  Ｒｅｌ−１４において指定されているデータオフソリューションは、すべてのＰＬＭＮのための３ＧＰＰ  ＤＯＥＳの共通リストをサポートするにすぎない。すなわち、すべてのＰＬＭＮオペレータによってサポートされる３ＧＰＰデータオフ免除サービスは同じである。フェーズ１データオフソリューションは不十分であり得、ＰＬＭＮごと３ＧＰＰ  ＤＯＥＳをサポートする拡張フェーズ２データオフソリューションのための要件が生じた。
【００２９】
３ＧＰＰ  ＴＳ２２．０１１  ｖ１４．４．０によれば、３ＧＰＰ  Ｒｅｌ−１５システムは、どのオペレータサービスが３ＧＰＰ  ＰＳ  ＤＯＥＳとして規定されるかをオペレータが設定することができる機構を提供するものとする。３ＧＰＰ  ＰＳデータオフ特徴がＵＥにおいてアクティブ化されたとき、課金整合性を維持するために、ＵＥは、３ＧＰＰ  ＰＳデータオフの特徴がアクティブ化されたことをネットワークに通知し、３ＧＰＰ  ＰＳ  ＤＯＥＳ以外のすべてのサービスのアップリンクＩＰパケットを送ることを中止するものとし、対応して、ネットワークは、３ＧＰＰ  ＰＳ  ＤＯＥＳ以外のすべてのサービスのためのダウンリンクＩＰパケットをＵＥに送ることを中止するものとする。ＨＰＬＭＮと訪問先ＰＬＭＮ（ＶＰＬＭＮ）との間の課金の整合性、ならびにユーザが何を期待するかとユーザが何について請求されるかとの間の整合性を提供するために、アップリンクとダウンリンクの両方上のＩＰパケットの無効化が必要とされることに留意されたい。３ＧＰＰ  ＴＳ２２．０１１  ｖ１４．４．０によれば、３ＧＰＰ  ＰＳデータオフ特徴は、ローミングステータスに基づいてアクティブ化され得る。
【００３０】
また、以下のサービス、すなわち、マルチメディアテレフォニー（ＭＭＴｅｌ）ボイス、ショートメッセージングサービス（ＳＭＳ）オーバーＩＰマルチメディアサブシステム（ＩＭＳ）、非構造化付加サービスデータ（ＵＳＳＤ：ｕｎｓｔｒｕｃｔｕｒｅｄ  ｓｕｐｐｌｅｍｅｎｔａｒｙ  ｓｅｒｖｉｃｅ  ｄａｔａ）オーバーＩＭＳ（ＵＳＳＩ）、ＭＭＴｅｌビデオ、デバイス管理オーバーＰＳ、拡張マークアップ言語（ＸＭＬ）設定アクセスプロトコル（ＸＣＡＰ）を使用したＵｔインターフェースを介したＩＭＳ付加サービス設定、および３ＧＰＰによって規定されない特定のＩＭＳサービスの各々が、３ＧＰＰ  ＰＳ  ＤＯＥＳの一部であるようにＰＬＭＮごとに設定可能であるものとし、これらのサービスの各々がＩＭＳ通信サービス識別子によって識別されることが、ＴＳ２２．０１１  ｖ１４．４．０において指定されている。システムは、オペレータサービスが３ＧＰＰ  ＰＳ  ＤＯＥＳであるように設定されず、等価なＣＳドメインオペレータサービスが存在する場合、ＣＳドメイン上で動作することにフォールバックすることをサポートし得る。
【００３１】
さらに、ＴＳ２２．０１１  ｖ１４．４．０によれば、ユーザは、３ＧＰＰ  ＰＳデータオフ免除サービスに属するオペレータサービスに気づかされるべきである。３ＧＰＰ  ＴＳ２２．０１１  ｖ１４．４．０のチャプター２．１．１において指定されている、「オペレータサービスは、３ＧＰＰ  ＰＳデータオフ免除サービスの一部であるように、ＰＬＭＮごとにＨＰＬＭＮオペレータによって設定可能であるものとする」の要件に対処するために、３ＧＰＰ技術報告書ＴＲ２３．７０２  ｖ１４．０．０のチャプター８においてソリューションが提案されており、このソリューションは、３ＧＰＰ  ＰＳ  ＤＯＥＳのリストがホームサブスクライバサーバ（ＨＳＳ）によって設定されることを必要とし、その設定は、ＰＧＷ／ＰＣＲＦ設定よりも優先される。ＴＲ２３．７０２  ｖ１４．０．０に記載されているソリューションのいくつかの記述が、以下の表において転載されている。
0006947839.tif 000002
【００３２】
３ＧＰＰ技術報告書ＴＲ２３．７０２  ｖ１４．０．０のチャプター８において指定されている現在のソリューションによれば、３ＧＰＰ  ＰＳ  ＤＯＥＳのリストはＨＳＳによって設定されるべきであり、本開示の発明者は、そのようなソリューションがいくつかの欠点を有することを観測した。たとえば、そのようなソリューションは、ネットワークの既存のプロシージャおよびシナリオに対する広範な影響を有し、そのようなソリューションは、たとえば、３ＧＰＰ  ＤＯＥＳのリストの、ＨＳＳ開始型サブスクライブデータ変更中に新しいプロシージャを必要とし得る。さらに、そのようなソリューションは、異なるデータオフ能力を伴うインターワーキングシナリオにおいて、多くの複雑さを追加する。
【００３３】
上記の問題の少なくとも一部を解決するために、方法、装置およびコンピュータプログラムが本明細書で提案されている。本開示のいくつかの実施形態は、ＰＣＲＦベースデータオフソリューションを提供し、ＰＣＲＦベースデータオフソリューションによれば、３ＧＰＰ  ＤＯＥＳのＰＬＭＮ固有リストは、ＰＣＲＦにおいて設定されるか、またはサブスクライバプロファイルリポジトリ（ＳＰＲ）において設定され、次いで、ＰＣＲＦにプロビジョニングされ得る。いくつかの実施形態では、３ＧＰＰ  ＤＯＥＳのリストに関連する１つまたは複数のアップリンクフィルタが、初期アタッチメント、セッション確立またはセッション変更中にＵＥに送られ得、したがって、ＵＥは、データオフ特徴がアクティブ化されたとき、ＵＬフィルタを使用して、３ＧＰＰ  ＤＯＥＳのリストに属するサービスのためのアップリンクパケットを送ることを許可することができる。本開示のいくつかの実施形態では、既存のネットワークに対する影響が、最小限に抑えられるか、または低減され得る。一実施形態では、訪問ネットワークに対する影響が回避され得る。
【００３４】
次に、実施形態は、通信ネットワークにおけるいくつかのプロシージャに関して説明されるが、実施形態は、３ＧＰＰ  ＤＯＥＳのＰＬＭＮ固有リストに関連する１つまたは複数のアップリンクフィルタが端末デバイスに提供されるために必要とされる任意の状況において適用され得ることを理解されたい。
【００３５】
Ｉ．登録プロシージャにおける実施形態
次に、ＰＬＭＮ固有３ＧＰＰ  ＤＯＥＳをサポートするための例示的な実施形態２００を示す図２Ａが参照される。図２Ａに示されている例示的な実施形態は、エボルブドパケットシステム（ＥＰＳ）における端末デバイスの初期アタッチなど、端末デバイスの登録において使用され得る。簡単のために、例示的な実施形態は、図１に示されているような、ポリシー制御デバイス１１０、ＳＧＷ１２０−１とＰＧＷ１２０−２とを含むセッション管理デバイス１２０、モビリティ管理デバイス１３０、および端末デバイス１４０に関して説明される。しかしながら、実施形態がそれらに限定されないことを理解されたい。通信ネットワークにおいて採用されるアーキテクチャおよび技法に応じて、他の実施形態では、同様の機能性をもつより多いまたはより少ないネットワークデバイスあるいは異なるネットワークデバイスが使用され得る。
【００３６】
この例では、説明の目的のために、ポリシー制御デバイス１１０、たとえばＰＣＲＦは、ネットワークにおいて展開され、３ＧＰＰ  ＤＯＥＳのＰＬＭＮ固有リストは、ＰＣＲＦにおいて設定されるか、またはＳＰＲにおいて設定され、次いで、ＰＣＲＦにプロビジョニングされると仮定される。
【００３７】
図２Ａに示されているように、端末デバイス１４０は、２１０において、モビリティ管理デバイス１３０、たとえばＭＭＥに、プロトコル設定オプション（ＰＣＯ）またはデータオフ能力に関する情報を含むアタッチ要求を送信する。ＭＭＥ１３０は、２２０において、ＳＧＷ１２０−１を介してＰＧＷ１２０−２に、ＰＣＯまたはデータオフ能力に関する情報を含むセッション作成要求を送信する。ＰＧＷ１２０−２は、２３０において、ポリシー制御デバイス１１０、たとえばＰＣＲＦに、データオフステータスに関する情報を含むクレジット制御要求−開始（ＣＣＲ−Ｉ：Ｃｒｅｄｉｔ  Ｃｏｎｔｒｏｌ  Ｒｅｑｕｅｓｔ−Ｉｎｉｔｉａｔｅ）を送る。いくつかの実施形態では、２１０〜２３０の上記の動作は、ＵＥの初期アタッチのための現在の３ＧＰＰ規格（たとえば、３ＧＰＰ  ＴＳ２３．４０１  ｖ１４．２．０のサブクローズ５．３．２．１）において指定されている動作と同じであり得る
【００３８】
この例では、ＰＣＲＦ１１０は、２４０において、ＰＧＷ１２０−２に、ＰＣＲＦ１１０において設定／プロビジョニングされた３ＧＰＰ  ＤＯＥＳのＰＬＭＮ固有リストに関連する１つまたは複数のアップリンクフィルタを指示するための新しい属性値ペア（ＡＶＰ）など、新しい情報を含むクレジット制御返答−開始（ＣＣＡ−Ｉ：Ｃｒｅｄｉｔ  Ｃｏｎｔｒｏｌ  Ａｎｓｗｅｒ−Ｉｎｉｔｉａｔｅ）を送る。（１つまたは複数の）アップリンクフィルタに関する情報以外に、ＣＣＡ−Ｉは、異なるポリシーを指示するためのＡＶＰなど、他の従来の（１つまたは複数の）ＡＶＰをも含み得る。ＰＧＷ１２０−２は、２５０において、受信された（１つまたは複数の）アップリンクフィルタに基づいて３ＧＰＰ  ＤＯＥＳのリストを構築し得る。ＰＧＷ１２０−２は、２６０において、ＳＧＷ１２０−１を介してＭＭＥ１３０にセッション作成応答を送り、（１つまたは複数の）アップリンクフィルタに関する情報は、たとえば、既存の情報エレメント（ＩＥ）中の新しいコンテナとして、たとえば、拡大されたＰＣＯ  ＩＥ中でセッション作成応答に組み込まれる。いくつかの実施形態では、セッション作成応答は、ＰＣＯまたはデータオフステータスに関する従来の情報をも含み得ることに留意されたい。ＭＭＥ１３０は、２７０において、デフォルトＥＰＳベアラアクティブ化要求（Ａｃｔｉｖａｔｅ  Ｄｅｆａｕｌｔ  ＥＰＳ  Ｂｅａｒｅｒ  Ｒｅｑｕｅｓｔ）を使用することによって、端末デバイス１４０に（１つまたは複数の）アップリンクフィルタを送り、デフォルトＥＰＳベアラアクティブ化要求に、（１つまたは複数の）アップリンクフィルタに関する情報は、たとえば、既存の情報エレメント（ＩＥ）中の新しいコンテナとして、たとえば、拡大されたＰＣＯ  ＩＥ中で組み込まれる。同様に、いくつかの実施形態では、デフォルトＥＰＳベアラアクティブ化要求は、ＰＣＯまたはデータオフステータスに関する情報など、他の情報を含み得る。
【００３９】
この例では、既存のＩＥは、（１つまたは複数の）ＵＬフィルタに関する情報を搬送するために拡張される。既存のＩＥ中の新しいコンテナが訪問ネットワークに対して透過的であるので、拡張による訪問ネットワークに対するさらなる影響が予想されない。さらに、２７０において端末デバイス１４０に送信された（１つまたは複数の）アップリンクフィルタは、データオフ特徴がアクティブ化されたとき、端末デバイス１４０が、３ＧＰＰ  ＤＯＥＳのＰＬＭＮ固有リストに属するサービスのためのアップリンクパケットを送ることを許可することを可能にする。
【００４０】
ＰＬＭＮ固有３ＧＰＰ  ＤＯＥＳをサポートするための別の例示的な実施形態２０１が図２Ｂに示されており、この実施形態２０１も、ＥＰＳにおける端末デバイスの初期アタッチなど、端末デバイスの登録において使用され得る。簡単のために、例示的な実施形態２０１も、図１に示されている、ポリシー制御デバイス１１０、ＳＧＷ１２０−１とＰＧＷ１２０−２とを含むセッション管理デバイス１２０、モビリティ管理デバイス１３０および端末デバイス１４０に関して説明されるが、通信ネットワークにおいて採用されるアーキテクチャおよび技法に応じて、他の実施形態では、同様の機能性をもつより多いまたはより少ないネットワークデバイスあるいは異なるネットワークデバイスが使用され得ることを諒解されたい。
【００４１】
この例では、同じく、３ＧＰＰ  ＤＯＥＳのＰＬＭＮ固有リストは、ＰＣＲＦ１１０において設定されるか、またはＳＰＲにおいて設定され、次いで、ＰＣＲＦ１１０にプロビジョニングされると仮定される。
【００４２】
図２Ｂに示されている実施形態２０１は、図２Ａに示されている実施形態と同じシグナリングに関与するが、これらのシグナリング中に含まれるコンテンツは異なる。特に、２１１において端末デバイス１４０によってＭＭＥ１３０に送られたアタッチ要求は、端末デバイス１４０のデータオフフェーズ２能力に関する情報（すなわち、端末デバイスがＰＬＭＮ固有３ＧＰＰ  ＤＯＥＳをサポートするか否か）を含み得、この情報は、端末デバイスがＰＬＭＮ固有３ＧＰＰ  ＤＯＥＳをサポートするか否かを指示し得る。ＭＭＥ１３０は、端末デバイスのデータオフフェーズ２能力とともに、ＭＭＥ１３０自体のデータオフフェーズ２能力に関する情報をセッション作成要求中に含め得、２２１において、ＳＧＷ１２０−１を介してＰＧＷ１２０−２にセッション作成要求を送る。応答して、ＰＧＷ１２０−２は、２３１において、ポリシー制御デバイス１１０、たとえばＰＣＲＦに、端末デバイス１４０およびＭＭＥ１３０のデータオフフェーズ２能力とともに、ＰＧＷ１２０−２自体のデータオフフェーズ２能力に関する情報を含むＣＣＲ−Ｉを送る。
【００４３】
この例では、端末デバイス１４０およびＭＭＥ１３０およびＰＧＷ１２０−２のすべてがＰＬＭＮ固有３ＧＰＰ  ＤＯＥＳをサポートすることをＰＣＲＦが検出した場合、ＰＣＲＦは、２４１において、ＰＧＷ１２０−２に、ＰＣＲＦ１１０において設定／プロビジョニングされた３ＧＰＰ  ＤＯＥＳのＰＬＭＮ固有リストに関連する１つまたは複数のアップリンクフィルタを指示するための新しいＡＶＰなど、新しい情報を含むＣＣＡ−Ｉを送る。図２Ａと同様に、ＰＧＷ１２０−２は、２５１において３ＧＰＰ  ＤＯＥＳのためのリストを構築し得、ＭＭＥ１３０に、リストに関連する１つまたは複数アップリンクフィルタを送る。ＰＧＷ１２０−２は、２６１において、ＳＧＷ１２０−１を介してＭＭＥ１３０にセッション作成応答を送る。図２Ａに示されている例とは異なり、（１つまたは複数の）アップリンクフィルタに関する情報は、たとえば、既存のＩＥ中の新しいコンテナとして、たとえば、Ｆ−コンテナＩＥ中でセッション作成応答に組み込まれる。ＭＭＥ１３０は、Ｆ−コンテナからアップリンクフィルタに関する情報を抽出し、その情報を、図２Ｂ中の新しいＩＥとしてデフォルトＥＰＳベアラアクティブ化要求中に含め、２７１において、端末デバイス１４０にデフォルトＥＰＳベアラアクティブ化要求を送る。
【００４４】
図２Ｂに示されている実施形態は、ＰＣＲＦ１１０から端末デバイス１４０に（１つまたは複数の）アップリンクフィルタを指示するための代替的やり方を提供する。この例では、ＧＰＲＳトンネリングプロトコル（ＧＴＰ）ｖ２上の既存のＩＥが拡大され、（１つまたは複数の）ＵＬフィルタを搬送するために、非アクセス層（ＮＡＳ）上の新しいコンテナＩＥが導入される。さらに、この代替的ソリューションは、ＵＥ、ＭＭＥ、およびＰＧＷが、それ自体のフェーズ２データオフ能力を報告することを必要とし得る。
【００４５】
図２Ａを参照しながら説明された例と同様に、図２Ｂに関与するシグナリングはまた、たとえば、従来の動作をサポートするための他の情報を含み得る。その上、使用されているネットワーク技法に応じて、いくつかの他の実施形態では、関与するネットワークデバイスおよび／またはシグナリングの用語が異なり得ることを諒解されたい。
【００４６】
ＩＩ．セッション確立プロシージャにおける実施形態
代替的に、または追加として、ＰＬＭＮ固有３ＧＰＰ  ＤＯＥＳに関連する（１つまたは複数の）アップリンクフィルタは、図２Ａ〜図２Ｂに示されている登録プロシージャ以外の１つまたは複数の他のプロシージャ中に、たとえば、３ＧＰＰ  ＴＳ２３．４０１のサブクローズ５．１０．２において指定されているＵＥ要求型ＰＤＮコネクティビティプロシージャなど、セッション確立プロシージャ中に、ＰＣＲＦ１１０から端末デバイス１４０にシグナリングされ得、ＰＬＭＮ固有３ＧＰＰ  ＤＯＥＳに関連する（１つまたは複数の）アップリンクフィルタは、ＵＥが追加のＰＤＮへのコネクティビティについて要求することを可能にする。いくつかの実施形態では、ＰＬＭＮ固有３ＧＰＰ  ＤＯＥＳに関連する（１つまたは複数の）アップリンクフィルタは、このプロシージャ中に端末デバイス１４０に指示され得る。たとえば、図２Ａに示されている２２０〜２７０または図２Ｂに示されている２２１〜２７１と同じ動作が、端末デバイス１４０に（１つまたは複数の）アップリンクフィルタを指示するためのセッション確立プロシージャにおいて使用され得る。
【００４７】
ＩＩＩ．セッション変更プロシージャにおける実施形態
別の実施形態では、（１つまたは複数の）アップリンクフィルタは、代替的にまたは追加として、セッション変更プロシージャ、たとえば、ＰＣＲＦ開始型インターネットプロトコル−コネクティビティアクセスネットワーク（ＩＰ−ＣＡＮ：Ｉｎｔｅｒｎｅｔ  Ｐｒｏｔｏｃｏｌ−Ｃｏｎｎｅｃｔｉｖｉｔｙ  Ａｃｃｅｓｓ  Ｎｅｔｗｏｒｋ）セッション変更プロシージャ、たとえば３ＧＰＰ  ＴＳ２３．４０１のサブクローズ５．４．２および５．４．３において指定されているＰＣＲＦ開始型ＩＰ−ＣＡＮセッション変更プロシージャ中に、端末デバイス１４０に指示され得る。このプロシージャは、たとえば、３ＧＰＰ  ＤＯＥＳのＰＬＭＮ固有リストの変更またはＰＣＲＦ１１０における関連する（１つまたは複数の）アップリンクフィルタの変更があるとき、トリガされ得る。ＵＬフィルタがどのように搬送されるべきであるかに応じて、２つのオプションが提案され、図２Ｃおよび図２Ｄに概略的に例示されている。
【００４８】
図２Ｃに示されている例示的な実施形態２０２では、アップリンクフィルタの変更に応答して、ＰＣＲＦ１１０は、２４２において、ＰＧＷ１２０−２に、（１つまたは複数の）アップリンクフィルタに関する情報が含まれたＲＡＲまたはＲＡＡを送る。（１つまたは複数の）アップリンクフィルタに関する情報を含むＲＡＲに応答して、ＰＧＷ１２０−２は、２５２において、ＳＧＷを介したＭＭＥへの３ＧＰＰ  ＤＯＥＳのためのアップリンクフィルタのリストを構築し得る。ＰＧＷ１２０−２は、たとえば、既存のＩＥ中の新しいコンテナとして、たとえば、拡大されたＰＣＯ中で、更新されたベアラ要求（またはベアラ作成要求）中に、（１つまたは複数の）アップリンクフィルタに関する情報を含め、２６２において、ＧＷ１２０−１を介してＭＭＥ１３０に更新されたベアラ要求を送る。ＭＭＥは、２７２において、ＥＰＳベアラ変更要求（またはアクティブ化されたデディケーテッドベアラ要求）を使用して、端末デバイス１４０に、（１つまたは複数の）アップリンクフィルタに関する情報をもつ拡大されたＰＣＯを透過的に送ることによって、（１つまたは複数の）アップリンクフィルタをフォワーディングする。
【００４９】
図２Ｄに示されている例示的な実施形態２０３では、図２Ｃに示されているシグナリングメッセージと同様のシグナリングメッセージが使用され、実施形態２０３は、（１つまたは複数の）アップリンクフィルタに関する情報がベアラ更新要求（またはベアラ作成要求）およびＥＰベアラ変更要求（またはアクティブ化されたデディケーテッドベアラ要求）の異なるＩＥ中で搬送されるという点で、２０２とは異なる。特に、２６３においてＰＧＷ１２０−２からＭＭＥ１３０に送られたベアラ更新要求（またはベアラ作成要求）では、（１つまたは複数の）アップリンクフィルタに関する情報は、たとえば、既存のＩＥ中の新しいコンテナ中で、たとえば、Ｆ−コンテナＩＥ中で搬送される。その上、２７３においてＭＭＥ１３０から端末デバイス１４０に送られたＥＰＳベアラ変更要求（またはアクティブ化されたデディケーテッドベアラ要求）では、（１つまたは複数の）アップリンクフィルタに関する情報は、図２Ｄでは新しいＩＥ中で搬送される。ベアラ更新要求または代替的にベアラ作成要求は、必要に基づいて２６３における送ることのために使用され得ることに留意されたい。たとえば、ＵＬフィルタの変更に応答してＰＣＲＦ１１０によってポリシー更新が開始される場合、ＰＧＷ１２０−２は、２６３において、ＭＭＥ１３０に、変更されたＵＬフィルタを含むベアラ更新要求を送り得る。別の実施形態では、変更されたＵＬフィルタに加えて、ＰＣＲＦ１１０は、ＰＧＷ１２０−２に、あるサービスのためのサービス品質（ＱｏＳ）の変更を指示し得、ＰＧＷ１２０−２は、２６３においてＭＭＥ１３０にベアラ作成要求を送り得る。
【００５０】
図２Ｃ〜図２Ｄに示されているシグナリングメッセージは、たとえば従来の動作のためのさらなる情報を含み得ることを理解されたい。その上、使用されているネットワーク技法に応じて、いくつかの他の実施形態では、関与するネットワークデバイスおよび／またはシグナリングの用語が異なり得ることを理解されたい。たとえば、提案された機構が第２世代（２Ｇ）または第３世代（３Ｇ）アクセス技法とともに適用される場合、（１つまたは複数の）ＵＬフィルタは、２Ｇ／３Ｇ無線上でＧＰＲＳトンネリングプロトコル（ＧＴＰ）ｖ１メッセージおよびＮＡＳメッセージ中で搬送される必要があり得る。提案された機構が５Ｇシステムにおける上記のプロシージャにおいて適用される他の実施形態では、ユーザデータリポジトリ（ＵＤＲ）が、ＳＰＲの代わりに使用され得、ポリシー制御機能（ＰＣＦ）が、ＰＣＲＦの代わりに使用され得、アクセスおよび管理機能（ＡＭＦ）が、ＳＧＳＮ／ＭＭＥの代わりに使用され得、セッション管理機能（ＳＭＦ）が、ＳＧＷ／ＰＧＷの代わりに使用され得、ユーザデータ管理（ＵＤＭ）が、ＨＳＳまたはＨＬＲの代わりに使用され得る。
【００５１】
ＩＶ．５Ｇのための登録プロシージャにおけるさらなる実施形態
上記で説明されたように、図２Ａおよび図２Ｂに関する上記の実施形態も、５Ｇシステムの登録プロシージャにおいて適用され得る。それらの実施形態に加えて、さらなる実施形態も、５Ｇシステムの登録プロシージャの詳細に鑑みて、５Ｇシステムの登録プロシージャにおいて適用され得る。
【００５２】
再び図２Ａを参照すると、５Ｇシステムの登録プロシージャでは、端末デバイス１４０が２１０においてＡＭＦ１３０に登録要求を送信した後、ＡＭＦ１３０は、２２０においてＳＭＦ１２０と接触する前にまたは２２０においてＳＭＦ１２０と接触することなしに、最初にＰＣＦ１１０と直接接触して、ＡＭＦ１３０とＰＣＦ１１０との間のインターフェース（すなわち、Ｎ１５インターフェース）を通していくつかのポリシーをＰＣＦ１１０に要求し得る。このさらなる実施形態では、ＰＣＦ１１０は、それらのポリシーがＡＭＦ１３０によって要求されたとき、ＰＣＦ１１０が、たとえば、新しいＩＥを使用することによって、前記インターフェースを通してＡＭＦ１３０に、それらのポリシーとともにＰＣＦ１１０における３ＧＰＰ  ＤＯＥＳのＰＬＭＮ固有リストに関連する１つまたは複数のアップリンクフィルタを指示する情報を提供することができるように、拡張される。その場合、（１つまたは複数の）アップリンクフィルタに関する情報は、たとえば、既存のＩＥ中の新しいコンテナまたは新しいＩＥ中で、ステップ２７０においてＡＭＦ１３０によって端末デバイス１４０に受け渡され得る。
【００５３】
Ｖ．５ＧのためのＵＥ設定更新プロシージャにおける実施形態
５Ｇシステムでは、ＰＣＦ１１０は、ＡＭＦ１３０とＰＣＦ１１０との間のインターフェース（すなわち、Ｎ１５インターフェース）を通してＡＭＦ１３０を介して、端末デバイス１４０に向けてＵＥ設定更新プロシージャを開始することができる。
【００５４】
この実施形態では、ＰＣＦ１１０における３ＧＰＰ  ＤＯＥＳのＰＬＭＮ固有リストにおける更新があるとき、ＰＣＦ１１０は、たとえば、新しいＩＥを使用することによって、前記インターフェースを通してＡＭＦ１３０を介して、端末デバイス１４０に、リストに関連する１つまたは複数のアップリンクフィルタを提供するために、ＵＥ設定更新プロシージャを開始することができる。
【００５５】
図３は、本開示の一実施形態による、ポリシー制御デバイスにおける方法３００のフローチャートを例示する。ポリシー制御デバイスは、３ＧＰＰ  ＤＯＥＳをサポートする通信ネットワーク（たとえば、図１中のネットワーク１００）において動作する。限定ではなく一例として、ポリシー制御デバイスは、ＰＣＲＦまたはＰＣＦであり得る。説明しやすいように、方法３００は、図１を参照しながら説明されたような環境に関して以下で説明されるが、方法３００の実施形態は、そのような環境に限定されず、より広く適用され得ることを諒解されたい。
【００５６】
ステップ３０２において、ポリシー制御デバイス１１０は、ＰＬＭＮのための３ＧＰＰ  ＤＯＥＳのリストを取得する。ステップ３０２において取得された３ＧＰＰ  ＤＯＥＳは、ＰＬＭＮ固有である。一実施形態では、ポリシー制御デバイス１１０は、たとえば管理者によって、リストを伴って事前設定されることによって、３ＧＰＰ  ＤＯＥＳのリストを取得し得る。別の実施形態では、３ＧＰＰ  ＤＯＥＳのリストの事前設定は、サブスクライバプロファイルリポジトリ（ＳＰＲ）、ユーザデータリポジトリ（ＵＤＲ）、ポリシー制御デバイス１１０に接続された任意の他の好適なリポジトリにおけるものであり得、それらのリポジトリから、ポリシー制御デバイス１１０が、３ＧＰＰ  ＤＯＥＳのリストをフェッチする。ポリシー制御デバイス１１０がリストをすでに取得した場合、ステップ３０２は必要とされないことがあることを諒解されたい。
【００５７】
ステップ３０３において、ポリシー制御デバイス１１０は、３ＧＰＰ  ＤＯＥＳのリストに関連する１つまたは複数のアップリンクフィルタを端末デバイス（たとえば、図１中の端末デバイス１４０）に提供する。ステップ３０３は、通信ネットワーク１００によって採用されるネットワークアーキテクチャと方法が適用される状況とに応じて、１つまたは複数の中間機能ノードを介して実装され得る。図２Ａ〜図２Ｄを参照しながら上記で説明されたように、ポリシー制御デバイス１１０は、図２Ａ〜図２Ｂに概略的に例示されているような端末デバイスの登録プロシージャ中に、および／または端末デバイス１４０によって開始されるセッション確立プロシージャ中に、および／または図２Ｃ〜図２Ｄに概略的に示されているようなポリシー制御デバイス１１０によって開始されるセッション変更プロシージャ中に、セッション管理デバイス（１２０）およびモビリティ管理デバイス（１３０）を介して端末デバイス１４０に（１つまたは複数の）アップリンクフィルタを送り得る。他の実施形態では、ポリシー制御デバイス１１０はＰＣＦであり、ステップ３０３は、端末デバイス１４０の登録プロシージャ、および／またはＰＣＦによって開始されるＵＥ設定更新プロシージャ中にＰＣＦとＡＭＦとの間のインターフェースを通してＡＭＦを介して実装される。
【００５８】
１つまたは複数のアップリンクフィルタは、セッション管理デバイス（１２０）およびモビリティ管理デバイス（１３０）によって既存のＩＥ中の新しいコンテナまたは新しいＩＥ中で受け渡される。既存のシグナリングメッセージの新しいコンテナまたは新しいＩＥ中で（１つまたは複数の）アップリンクフィルタを搬送するためのいくつかの例が、図２Ａ〜図２Ｄを参照しながら説明されており、したがって、詳細はここでは簡単のために省略される。
【００５９】
たとえば図２Ｂに関して上記で説明されたように、登録プロシージャおよび／またはセッション確立プロシージャ中に、方法は、端末デバイス１４０、モビリティ管理デバイス１３０およびセッション管理デバイス１２０のＰＬＭＮ固有３ＧＰＰ  ＤＯＥＳをサポートする能力に関する情報を受信する随意のステップ３０１をさらに含み得、ステップ３０３は、端末デバイス１４０、モビリティ管理デバイス１３０およびセッション管理デバイス１２０がすべてＰＬＭＮ固有３ＧＰＰ  ＤＯＥＳをサポートすることを情報が指示する場合のみ実施され得る。随意のステップ３０１はまた、ステップ３０２の後におよびステップ３０３の前に行われ得ることを諒解されたい。
【００６０】
図４は、本開示の一実施形態による、ポリシー制御デバイス４００の概略ブロック図を例示する。ポリシー制御デバイス４００は、３ＧＰＰ  ＤＯＥＳのＰＬＭＮ固有リストを取得するように設定された取得ユニット４０２と、３ＧＰＰ  ＤＯＥＳのＰＬＭＮ固有リストに関連する１つまたは複数のアップリンクフィルタを端末デバイスに提供するように設定された提供ユニット４０３とを含み得る。
【００６１】
一実施形態では、ポリシー制御デバイス４００は、（１つまたは複数の）アップリンクフィルタを端末デバイスに提供すべきか否かを決定するための、端末デバイス１４０、モビリティ管理デバイス１３０およびセッション管理デバイス１２０のＰＬＭＮ固有３ＧＰＰ  ＤＯＥＳをサポートする能力に関する情報を受信するように設定された受信ユニット４０１をさらに含み得る。
【００６２】
本明細書で説明されるポリシー制御デバイス４００は、様々なユニットによって実装され得、したがって、実施形態とともに説明されるポリシー制御デバイスの１つまたは複数の機能を実装するポリシー制御デバイス４００は、ユニット４０１、４０２および４０３だけでなく、実施形態とともに説明されるポリシー制御デバイスの１つまたは複数の機能を実装するための他のユニットをも備え得ることを諒解されたい。さらに、ポリシー制御デバイス４００は、各別個の機能のための別個のユニットを備え得るか、または、２つまたはそれ以上の機能を実施するように単一のユニットが設定され得る。その上、ユニットは、ハードウェア、ファームウェア、ソフトウェア、またはそれらの組合せで実装され得る。
【００６３】
ブロック図および／またはフローチャートの例示図のブロック、ならびにブロック図および／またはフローチャートの例示図中のブロックの組合せが、コンピュータプログラム命令によって実装され得ることを理解されたい。これらのコンピュータプログラム命令は、汎用コンピュータ、専用コンピュータ、および／または機械を製造するための他のプログラマブルデータ処理装置のプロセッサに提供され得、その結果、コンピュータおよび／または他のプログラマブルデータ処理装置のプロセッサを介して実行する命令は、ブロック図および／またはフローチャートの１つまたは複数のブロックにおいて指定された機能／行為を実装するための手段を作成する。
【００６４】
その上、本開示のソリューションは、命令実行システムによるまたは命令実行システムに関連する使用のために媒体で具現される、コンピュータ使用可能コードまたはコンピュータ可読プログラムコードを有するメモリ上のコンピュータプログラムの形態をとり得る。本明細書の文脈では、メモリは、命令実行システム、装置、またはデバイスによるあるいは命令実行システム、装置、またはデバイスに関連する使用のためのプログラムを含んでいるか、記憶するか、または通信するように適応される任意の媒体であり得る。
【００６５】
したがって、本開示は、図５に示されているような、プロセッサ５０１とメモリ５０２とを含むポリシー制御デバイス５００をも提供する。ポリシー制御デバイス５００では、メモリ５０２は、プロセッサ５０１によって実行されたとき、ポリシー制御デバイス５００に、実施形態とともに上記で説明された方法を実施させる命令を記憶する。
【００６６】
本明細書は多くの特定の実装の詳細を含んでいるが、これらは、任意の実装のまたは請求され得るものの範囲に対する限定と解釈されるべきではなく、むしろ特定の実装形態の特定の実施形態に固有であり得る特徴の説明と解釈されるべきである。別個の実施形態の文脈において本明細書で説明されるいくつかの特徴は、単一の実施形態における組合せでも実装され得る。逆に、単一の実施形態の文脈において説明される様々な特徴が、複数の実施形態において別々にも実装され、または任意の好適な部分組合せでも実装され得る。その上、特徴は、いくつかの組合せで働くものとして上記で説明され、さらには最初にそのようなものとして請求され得るが、請求される組合せからの１つまたは複数の特徴は、いくつかの場合にはその組合せから削除され得、請求される組合せは、部分組合せまたは部分組合せの変形を対象とし得る。
【００６７】
技術が進歩するにつれて、発明的概念が様々なやり方で実装され得ることが当業者に明らかであろう。上記で説明された実施形態は、本開示を限定するのではなく説明するために与えられており、当業者が容易に理解するように、本開示の趣旨および範囲から逸脱することなく変更および変形が行われ得ることを理解されたい。そのような変更および変形は、本開示の範囲および添付の特許請求の範囲内にあると見なされる。本開示の保護範囲は、添付の特許請求の範囲によって規定される。
【図１】
0006947839.tif 000003
【図２Ａ】
0006947839.tif 000004
【図２Ｂ】
0006947839.tif 000005
【図２Ｃ】
0006947839.tif 000006
【図２Ｄ】
0006947839.tif 000007
【図３】
0006947839.tif 000008
【図４】
0006947839.tif 000009
【図５】
0006947839.tif 000010